(57)【要約】【課題】  性的快感を増進すると共に膣道を保護し、性交痛を改善すると同時に避妊および性感染症（ＳＴＤ）の予防もできる器具を提供すること。【解決手段】  十分な強靭度を持つ材料からなる円筒パウチ状の本体部と十分な強靭度を持つ材料からなる略平板状の座部から構成され、座部には陰茎を通す開口部が設けられ、本体部は前記開口部に沿って座部と連結される、本体部は陰茎の抽送運動による摩擦と圧迫衝撃を遮断出来ることを特徴とする。【選択図】図１
2019130258.tif 000002
【特許請求の範囲】
【請求項１】
所定の強靭度を持つ材料からなる円筒パウチ状の本体部と略平板状の座部より構成され、座部には陰茎を通すための開口部が設けられ、本体部は前記開口部縁に沿って座部と連結されることを特徴とする、膣道を保護する器具。
【請求項２】
本体部頂点は凹形或いは凸形に変形出来ることを特徴とする、前記請求項１の膣道を保護する器具。
【請求項３】
本体部に複数の環状構造を設けることを特徴とする、前記請求項１、２の膣道を保護する器具。
【請求項４】
本体部に複数の連続状突起構造を設けることを特徴とする、前記請求項１、２の膣道を保護する器具。
【請求項５】
本体部に複数の不連続状突起構造を設けることを特徴とする、前記請求項１、２の膣道を保護する器具。
【請求項６】
本体部に複数の環状構造、複数の連続状突起構造、複数の不連続状突起構造の内二つ以上を設けることを特徴とする、前記請求項１、２の膣道を保護する器具。
【請求項７】
座部面の垂直する両方向の長さは違うように設けることを特徴とする、前記請求項１、２、３、４、５、６の膣道を保護する器具。
【請求項８】
両面使用できることを特徴とする、前記請求項１、２、３、４、５、６、７の膣道を保護する器具。
【請求項９】
前記請求項１、２、３、４、５、６、７、８の膣道を保護する器具の使用方法は、本体部を半径方向に捻り或いは畳み、座部を回転させながら、膣口から捻り込み、そして座部により膣口との位置関係を保持できる、ことを特徴とする。
【発明の詳細な説明】
【発明の詳細な説明】
【技術分野】
【０００１】  本発明は、性的快感を得られ、膣道を保護し、性交痛を改善しながら避妊および性感染症（ＳＴＤ）の予防もできる器具に関する。
【背景技術】
【０００２】  従来、避妊および性感染症（ＳＴＤ）の予防のために使用されてきた器具は、主に男性用コンドムと女性用コンドムに大別される。例えば下記特許文献１、２に示すような男性用コンドムと女性用コンドムがある。【０００３】  性交渉の際、男性側が快感獲得するには、陰茎を女性の膣内で抽送運動させ、亀頭部に刺激を与えることは大きな手段である。【０００４】  一方、心理的に性交渉を楽しみたいと思うが、多様な原因で陰茎の挿入時及び抽送運動による膣口と膣壁への摩擦と圧迫衝撃で性交痛を感じる女性は多くいる。一般的にはこうした性交痛を低減させるために、潤滑剤を陰茎或いは膣内に塗布する方法、また特許文献１に示すようなゼリー状潤滑剤付きコンドムなどを使用する方法はある。
【先行技術文献】
【特許文献】
【０００５】
【特許文献１】特開昭４９−００８０９４
【特許文献２】ＷＯ２００４／０２６１６８
【発明が解決しようとする課題】
【０００６】  しかし、従来の男性用コンドム及び女性用コンドムは共通して、薄膜状のもので（寧ろ密着感を強調するために薄さを追求されてきた）、男性用コンドムも女性用コンドムも、陰茎の抽送運動による摩擦と圧迫衝撃を直に膣壁に伝える。潤滑剤を使用することによって、摩擦係数はある程度低減させることはできるが、膣口と膣壁に摩擦と圧迫衝撃を与えることは変わらない、つまり、性交痛を大幅に改善できないという問題点があった。
【０００７】  そこで、本発明は、上記問題点を解決するための、膣道を保護し、性交痛を改善すると同時に避妊および性感染症（ＳＴＤ）の予防もできる器具を提供することを課題とする。
【発明の概要】
【課題を解決するための手段】
【０００８】  上記課題を解決するために、本発明に係る膣道を保護する器具（以下は本器具という）は、所定の強靭度を持つ材料からなる円筒パウチ状の本体部と略平板状の座部より構成され、座部には陰茎を通すための開口部が設けられ、本体部は前記開口部縁に沿って座部と連結される、ことを特徴とする。本文で言う所定の強靭度とは、従来のコンドムのような薄膜状で形状保持不能なものではなく、材質の調整及び厚みの設定により、使用目的を満たせるための形状保持力並びに耐用性を有すると同時に弾力性親和性を有することである。本文で言う使用目的とは、尚通常の性行為では、本器具の座部により膣口での位置保持出来、陥入することも脱出することもなく、陰茎の抽送運動による膣壁への摩擦と圧迫衝撃を最大限に遮断し、そして、精液及び体液の漏洩を防げる事によって、性交痛を改善すると同時に避妊および性感染症（ＳＴＤ）の予防もできるることである。【０００９】  尚、本器具の本体部の頂点部分は凹形或いは凸形に変形出来ることを特徴とする。【００１０】  また、本器具の本体部に複数の環状構造を設けることを特徴とする。【００１１】  また、本発明に係る本器具の本体部に複数の連続状突起構造を設けることを特徴とする。【００１２】  また、本器具の本体部に複数の不連続状突起構造を設けることを特徴とする。【００１３】  また、本器具の本体部に複数の環状構造、複数の連続状突起構造、複数の不連続状突起構造の内二つ以上を設けることを特徴とする。【００１４】  また、本器具の座部面の垂直する両方向の長さは違うように設けることを特徴とする。【００１５】  また、本器具は両面使用できることを特徴とする。【００１６】  尚、本器具の使用方法については、本体部を半径方向に捻り或いは畳み、座部を回転させながら、膣口から捻り込み、そして座部により膣口との位置関係を保持できる、ことを特徴とする。
【発明の効果】
【００１７】  本発明によれば、性的快感を増進する亀頭への刺激を得られながら、陰茎の抽送運動による膣壁への摩擦と圧迫衝撃を大幅に遮断するため、膣道を保護し、性交痛を改善出来ると同時に避妊および性感染症の予防もできる効果がある。
【図面の簡単な説明】
【００１８】
【図１】本発明の第一実施形態を示す正面図である。
【図２】本発明の第二実施形態を示す正面図である。
【図３】本発明の第一実施形態を示す上面図である。
【図４】本発明の第一実施形態を示す下面図である。
【図５】本発明品の使用方法を説明するための図である。
【発明を実施するための形態】
【００１９】  以下に、本発明の基本構成について説明するが、本発明の主旨を超えない限り、なんら限定されるものではない。
【００２０】  図１は本発明の第一実施形態を示す正面図である。本器具１０はメディカルグレードシリコーンゴムからなり、本体部１８と座部１４の連結部分２２は本体部１８が裏返し出来るように形成される。本器具１０は使用目的を果たせる為、本体部１８の厚みはある程度以上にすることは好ましい、本実施形態では本体部１８の厚みを約０．８ｍｍとし、座部１４の厚みを約２．５ｍｍする。尚本体部１８の形状保持力を強める為、リング状突起構造１１、１２、１３を設けられた、更に連続状突起構造（本実施形態では網状突起構造である）１５を設けられた。リング状突起構造１１、１２、１３及び連続状突起構造１５は本体部１８の形状保持力を強めると同時に、亀頭部への刺激増強にも役立つ効果はある。尚、リング状突起構造１１、１２、１３及び連続状突起構造１５は本体部１８の内外両面に形成しても良いし、片面のみに形成しても良い。
【００２１】  座部１４の形状保持力により、本体部１８を開口状態に保持できる。
【００２２】  頂点部１６の回りに折り目１９を設けられ、外部力により容易く凹ませたり、凸ませたりして、使用時内子宮口にフィットすることが出来ると同時に精液を溜める役割がある。図１は頂点部１６の凸んでいる状態を示す。
【００２３】  なお、リング状突起構造１１、１２、１３並びに連続状突起構造１５の分布密度、形状、サイズなどについてはユーザーの年齢、人種、風習等により自由に設定出来る。
【００２４】  図２は本発明の第二実施形態を示す正面図である。本器具１０はメディカルグレードシリコーンゴムからなり、本体部１８と座部１４の連結部分２２は本体部１８が裏返し出来るように成形される。本器具１０は使用目的を果たせる為、本体部１８の厚みはある程度以上にすることは好ましい、本実施形態では本体部１８の厚みを約１．５ｍｍとし、座部１４の厚みを約２．５ｍｍする。本体部１８には不連続状突起構造（本実施形態では点状突起構造である）２１を設けられた。不連続状突起構造２１は陰茎の抽送運動時に亀頭部への刺激増強に役立つ効果はある。尚、不連続状突起構造２１は本体部１８の内外両面に形成しても良いし、片面にのみに形成しても良い。
【００２５】  座部１４の形状保持力により、本体部１８を開口状態に保持できる。
【００２６】  頂点部１６の回りに折り目１９を設けられ、外部力により容易く凹ませたり、凸ませたりして、使用時内子宮口にフィットすることが出来ると同時に精液を溜める役割がある。図２は頂点部１６の凹んでいる状態を示す。
【００２７】  なお、不連続状突起構造２１の分布密度、形状、サイズなどについてはユーザーの年齢、人種、風習等により自由に設定出来る。
【００２８】  本発明の第三実施形態については、第一実施形態と比べ、リング状突起構造１１、１２、１３のみを設けられた（連続状突起構造１５を設けない）以外は同様である為、図面を省略する。
【００２９】  本発明の第四実施形態については、第一実施形態と比べ、連続状突起構造１５のみを設けた（リング状突起構造１１、１２、１３を設けない）以外は同様である為、図面を省略する。
【００３０】  本発明の第五実施形態については、第一実施形態と比べ、連続状突起構造１５の間に、不連続状突起構造２１を設けた以外は同様である為、図面を省略する。
【００３１】  本発明の第六実施形態については、第二実施形態と比べ、不連続状突起構造２１の間にリング状突起構造１１、１２、１３を設けた以外は同様である為、図面を省略する。
【００３２】  本発明の第七実施形態については、第二実施形態と比べ、不連続状突起構造２１の間に連続状突起構造１５を設けた以外は同様である為、図面を省略する。
【００３３】  本発明の第八実施形態については、第一実施形態と比べ、連続状突起構造１５の間に、不連続状突起構造２１を設けた以外は同様である為、図面を省略する。
【００３４】  図３は本器具１０の上面図である、本体部１８は座部１４の中心部に位置し、本体部１８を開口状態に保持させる。
【００３５】  図４は本器具１０の下面図である、座部１４の垂直するに両方向の長さ、即ち本体部１８の開口部４２から座部１４の縁までの長さ４１と４３は違うように設けられた、これによって、座部１４は略楕円形を呈し、使用時に持ち易くさせ、膣内に捻り込み易くさせ、膣口での位置保持に約立つ。ユーザーの年齢、人種、風習等により開口部４２の直径４４及び４１、４３の長さを自由に設定出来る。
【００３６】  図５は本器具１０を使用方法を説明するための図であるが、第一から第八実施形態のどちらを使っても良い。ユーザーは適合サイズの本器具１０を選び、膣内に挿入しやすくするため、一方の手で本体部１８の先端部を持ち、もう一方の手で座部１４を持ちながら、本体部１８の長軸を中心に任意方向に絞り（畳んでも良い）、本体部１８を細くして、膣口に当て、捻りながら座部１４まで押し込む（事前に膣口或いは本体部１８の先端部及び内部に潤滑剤を塗布すればなお良い）。完全に捻り込んだら、手で座部１４を逆回転させ、本体部１８を元の状態に戻す、或いは指などを本体部１８に挿入して戻す、座部１４の長尺方向を膣口方向に合わせることは好ましい。座部１４と本体部１８の形状復元力により、開口部４２は完全に開かれ、膣内にある程度の空間を形成出来る。
【００３７】  よって、性交渉時、陰茎は容易く開口部４２から挿入出来、そして、抽送運動すれば、亀頭はリング状突起構造１１、１２、１３及び連続状突起構造１５或いは不連続状突起構造２１と摩擦し刺激され、快感を得られる。一方、本体部１８により、抽送運動による摩擦と圧迫衝撃を大幅に遮断できるため、膣道を保護し、性交痛を改善出来ると同時に精液及び体液の遮断も出来るため、避妊および性感染症の予防もできる。
【００３８】  性交渉後、手で座部１４を回転させながら、本器具１０を取り出す。本体部１８を裏返し出来るので、本器具１０に溜めた精液及び付着した体液の洗浄は容易に出来る。
【符号の説明】
【００３９】  １０  本発明の膣道を保護する器具
１１、１２、１３  リング状突起構造
１４  座部
１５  連続状突起構造
１６  頂点部
１８  本体部
１９  頂点部折り目
２１  不連続状突起構造
２２  本体部と座部の連結部
４１  本体部の開口部から座部長尺方向端の距離
４２  本体部の開口部の口径
４３  本体部の開口部から座部短尺方向端の距離
４４  本体部の開口部
【図１】
2019130258.tif 000003
【図２】
2019130258.tif 000004
【図３】
2019130258.tif 000005
【図４】
2019130258.tif 000006
【図５】
2019130258.tif 000007